(57)【要約】      （修正有）【課題】軸筒に中軸を介して内設された筆記体と、前記筆記体の筆圧を検知してオン／オフする電気的装置を装着した筆記具において、筆記体の交換を容易にする。【解決手段】筆記体フォルダー６と、前記筆記体フォルダーの長手軸方向の摺動をガイドするガイド部８と、電気的装置と前記筆記体フォルダーの間に、前記筆記体フォルダーを常に前方に付勢する弾発部材１１と、一部が軸筒に露出したスライド１７より部品を構成し、前記筆記体フォルダーと前記ガイド部には、乗り越え可能な係止部１０を形成し、前記スライドには長手軸方向の移動により前記筆記体フォルダーを前方へ移動させ、前記筆記体フォルダーとガイド部の乗り越え可能な係止を解除できる坦部を形成すると共に、中軸に、前記筆記体フォルダーを長手軸方向に移動可能な空間を形成し、その移動距離を、前記スライドの移動距離よりも長く形成したことを特徴とする筆圧検知筆記具。【選択図】図１
2008055809.tif 000002
【特許請求の範囲】
【請求項１】
軸筒に中軸を介して内設された筆記体と、前記筆記体の筆圧を検知してオン／オフする電気的装置を装着した筆記具において、筆記体に着脱可能に装着された筆記体フォルダーと、前記筆記体フォルダーの長手軸方向の摺動をガイドするガイド部と、前記電気的装置と前記筆記体フォルダーの間に、前記筆記体フォルダーを常に前方に付勢する弾発部材と、一部が軸筒に露出したスライドより部品を構成し、前記筆記体フォルダーと前記ガイド部には、乗り越え可能な係止部を形成し、前記スライドには長手軸方向の移動により前記筆記体フォルダーを前方へ移動させ、前記筆記体フォルダーとガイド部の乗り越え可能な係止を解除できる坦部を形成すると共に、中軸に、前記筆記体フォルダーを長手軸方向に移動可能な空間を形成し、その移動距離を、前記スライドの移動距離よりも長く形成したことを特徴とする筆圧検知筆記具。
【発明の詳細な説明】
【技術分野】
【０００１】
本発明は、軸筒に中軸を介して内設された筆記体と、前記筆記体の筆圧を検知してオン／オフする電気スイッチ（或いはセンサ）を装着した筆記具（或いは入力ペン）に関するものであり、筆記時に電気スイッチ（或いはセンサ）がＯＮになることで、別個の装置で筆記具から発信した音波や光を受信することによりＸＹ座標を検出できる装置や、デジタイザーを用いたＸＹ座標検出装置或いは、筆記に連動して発光や振動する筆記具等に装着できる筆圧検出機構を装備した筆記具の筆記体の交換し易さに関するものである。
【背景技術】
【０００２】
電気スイッチ（或いはセンサ）を用いない、一般の筆記具の場合、筆記体の着脱は、軸筒の先部に配置した先金や前軸、または軸筒の後部に配置した尾栓等の部品を、螺合等の連結手段を外すことで、軸筒本体と分離することで、筆記体を指先で把持する部分を得ることができる。
一方、電気スイッチ（或いはセンサ）を用いた筆記具は、電気配線の切断の危険性や、筆記具先端近傍に精密部品を正確な位置に配置する必要性があるため、特定の部品を軸筒から分離することは極めて困難である。
１例として、筆記具先端近傍に発光装置と超音波発信装置を備え、筆記体の筆圧を検知して発信される光と超音波を受信装置で受信し、筆記位置のＸＹ座標を検出するシステムの筆記具が知られており、筆記体の交換はキャップに装着された金属片を筆記体先端に狭着させ抜き取るものがある。筆記体は後端部に筆記体フォルダーと着脱自在に挟着固定されており、固定手段として筆記体フォルダー内面に形成した複数の内方リブと、筆記体外径が圧入寸法に設定されている。
また別の例として、軸筒に一部露出したスライドを前進させることで筆記体後端に狭着された筆記体フォルダーを前進させ、軸筒先端からの筆記体の出の長さを長くして指先で長くなった筆記体を把持し、筆記体を抜き取るもの等が知られている。
【特許文献１】特開２００４−５８５５８号。
【発明の開示】
【発明が解決しようとする課題】
【０００３】
しかしながら、筆記体フォルダーの内方リブと筆記体外径の寸法バラツキにより、筆記体の筆記体フォルダーからの抜き取り力は変化し、特に筆記体外径が大きくなった場合、キャップに装着された金属片の狭着では、抜き取りが困難な場合も発生する。
スライドの移動により、筆記体を前進させる場合は、前者よりは、筆記体の出の長さが長くなるため、筆記体を指先で把持しやすくはなるものの、筆記体と筆記体フォルダーの狭着力が大きい場合は、同様の問題を生ずることになる。
また、スライドの移動距離を長くすることは、軸筒先端からの筆記体の出の長さを長くできるので、抜き差しには有利ではあるが、製品の外観的制約により制限されるのが一般的である。
【課題を解決するための手段】
【０００４】
本発明は、軸筒に中軸を介して内設された筆記体と、前記筆記体の筆圧を検知してオン／オフする電気的装置を装着した筆記具において、筆記体に着脱可能に装着され筆記体フォルダーと、前記筆記体フォルダーの長手軸方向の摺動をガイドするガイド部と、前記電気的装置と前記筆記体フォルダーの間に、前記筆記体フォルダーを常に前方に付勢する弾発部材と、一部が軸筒に露出したスライドより部品を構成し、前記筆記体フォルダーと前記ガイド部には、乗り越え可能な係止部を形成し、前記スライドには長手軸方向の移動により前記筆記体フォルダーを前方へ移動させ、前記筆記体フォルダーとガイド部の乗り越え可能な係止を解除できる坦部を形成すると共に、中軸に、前記筆記体フォルダーを長手軸方向に移動可能な空間を形成し、その移動距離を、前記スライドの移動距離よりも長く形成したことを主旨とする。
【発明の効果】
【０００５】
本発明では、筆記体フォルダーとガイド部には、乗り越え可能な係止部を形成し、スライドには長手軸方向の移動により前記筆記体フォルダーを前方へ移動させ、筆記体フォルダーとガイド部の乗り越え可能な係止を解除できる坦部を形成すると共に、中軸に、前記筆記体フォルダーを長手軸方向に移動可能な空間を形成し、その移動距離が、前記スライドの移動距離よりも長く形成しているため、スライドの前進位置でほぼスライドの前進した長さだけ筆記体先端が軸筒先端より突出しているため、指先で筆記体を引き抜くための距離を確保でき、この状態で筆記体を引き抜くと、ほぼ、筆記体移動距離−スライド移動距離分だけ更に筆記体を引き出すことができる。この状態から更に、筆記体を引き出すと筆記体フォルダーと筆記体との圧入を解除して筆記体を引き抜き、軸筒から分離できる。
筆記体と筆記体フォルダーの圧入力が高い場合でも、指先での把持部を確保できるため比較的容易に、一般に筆記具と同様に、軸筒から筆記体を引き抜くことが可能になる
【発明を実施するための最良の形態】
【０００６】
図１〜図４に本発明の１例を示し説明する。
発信器カバー２０、前軸１、後軸２及び尾栓３よりなる軸筒の内方に、筆記体５を摺動自在に配置した中軸４が設けてある。前記中軸４には、前記筆記体５の筆圧を検知して電源のオン／オフをする電気的装置をモジュール化したセンサボックス１５を組み入れる空間が形成されている。前記ボックス１５には、筆記体後端に設けた筆記体フォルダー６の後方部を摺動可能にガイドするガイド部８と、前記電気的装置の位置決め可能な受け部を形成すると共に、筆記体５を筆記時にペン先側に付勢する弾発部１１を設けている。
筆記体フォルダー６後方には、ガイド部８と乗り越え可能な係止部９を形成し、通常の状態ではガイド部８に形成した乗り越え可能な係止部１０に係止され、筆記体５の軸筒からの脱落を防止している。
【０００７】
また筆記体フォルダー６は、筆圧により筆記時には後方に摺動し、弾発部１１を介して感圧センサ１４を押圧し、筆記状態を検知することができる。
このとき、感圧センサ１４への強い荷重を避けるため、筆記体フォルダー６に当接する当接部２４がガイド部８前方に形成されている。
筆記体５を抜き取る場合、まずスライド１７を前方に移動させると、筆記体フォルダーに坦部２３が当接し、スライド１７の前進により筆記体フォルダー６も中軸４内で前進し、乗り越え可能な係止９，１０を解除できる。
【０００８】
更にスライド１７を前進させると、筆記体フォルダー６も前進し、通常の状態より、ほぼスライド１７の移動距離分だけ筆記体５を軸筒４から前進させることができる。
この状態で、筆記体５を指先で把持し、更に引き出すと、筆記体フォルダー６は既に係止が解除されているため、筆記体フォルダー最前進位置（筆記体フォルダーが最前進した時の筆記体の位置）まで軽い力で引き出すことができる。
この状態で筆記体５を指先で把持し直すことができ、更に筆記体５を引き出すと、筆記体フォルダー６は中軸４の係止部２７に当接し、筆記体フォルダー６の挟着力に抗して、筆記体フォルダー６から筆記体５を抜き取ることができる。
【０００９】
本実施例では、ガイド部８をモジュール化したセンサボックス１５に形成しているが、中軸４に直接形成してもよく、乗り越え可能な係止部９，１０も、必ずしも筆記体フォルダー６後方になくてもよい。
本発明の場合でも、筆記体外径のバラツキにより、筆記体フォルダー６との挟着力が強くなり過ぎると、引き出しにくくなるため、筆記体フォルダーの内方リブ２５の本数やリブ幅を考慮する必要があるが、リブ形成部分以外の箇所に切り欠き部２６を形成することも有効である。
筆記体５と筆記体フォルダー６の挟着力に対し、弾発部１１の弾発力は低く設定するのが好ましい。
【００１０】
尚、新たに筆記体を装着する場合は、軸筒先端より、筆記体を挿入する、筆記体フォルダー６は筆記体に押され、（スライド１７が前進している場合はスライド１７も押しながら）乗り越え可能な係止部９，１０を乗り越え、筆記体フォルダー６がガイド部８にガイドされる。更に筆記体５を押すことで筆記体５の筆記体フォルダー６への挟着が完了する。
また、筆記体フォルダー６が最前進の位置にあるとき、新たに筆記体を装着するまで、その位置を保つための一時固定手段を、筆記体フォルダー６と中軸４との間に形成してもよい。
【００１１】
本実施例では、筆記体の筆圧を検知してオン／オフする電気的装置として感圧センサを示したが、タクトスイッチ等を用いても一向に差し支えない。
【図面の簡単な説明】
【００１２】
【図１】本発明の第１例の非筆記状態を示す半断面図である。
【図２】本発明の第１例のＡ−Ａ断面図である。
【図３】本発明の第１例の要部部品の組み立て斜視図である。
【図４】本発明の第１例の要部部品の分解斜視図である。
【図５】本発明第１例の筆記時、乗り越え可能な係止を解除、スライド最前進、及び筆記体フォルダー最前進の状態を示す要部半断面図である。
【図６】本発明の別例を示す筆記体フォルダーの斜視図である。
【符号の説明】
【００１３】
１  前軸
２  後軸
３  尾栓
４  中軸
５  筆記体
６  筆記体フォルダー
７  フレックス基盤
８  ガイド部
９  乗り越え可能な係止部（記体フォルダー）
１０  乗り越え可能な係止部（ガイド部）
１１  弾発部
１２  受け部
１３  連結部
１４  感圧センサ
１５  センサボックス
１６  フレックス基盤
１７  スライド
１８  タクトスイッチ
１９  ボタン
２０  発信器カバー
２１  電池
２２  接点
２３  坦部
２４  当接部
２５  内方リブ
２６  切り欠き部
２７  当接部
【図１】
2008055809.tif 000003
【図２】
2008055809.tif 000004
【図３】
2008055809.tif 000005
【図４】
2008055809.tif 000006
【図５】
2008055809.tif 000007
【図６】
2008055809.tif 000008